【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
情報を記録し、前記情報へのアクセスを制御するメモリカードにおいて：
選択されたリーダによって自動的に検出され認識される前記カード上の電子ファイルのファイルシステムであって、あらかじめ選択されたリーダのみが特定のコンパートメントへアクセスできるように前記カード上の別々の区別されたコンパートメント内に保存されている電子ファイルが現れるように組織化されているファイルシステムと；
リーダと前記カードが付与された人物であって前記カードの所有者との間で生物測定の合致がない限り、いかなるデータも送信できない、前記カード上の生物測定認識情報と；を具え、
各コンパートメントがアクセスするための異なるユニークなピンコードが必要であること；
を特徴とするメモリカード。
【請求項２】
請求項１に記載のメモリカードにおいて、前記コンパートメントが前記カードが付与されたユーザに関する医療情報を有し、前記医療情報が前記医療情報を有するコンパートメントに割り当てられた前記ユニークなピンコードを有するあらかじめ選択されたリーダによってのみアクセスされることを特徴とするメモリカード。
【請求項３】
請求項１に記載のメモリカードが、リーダによってアクティベートされ電力供給されるシングルチップＧＰＳエンジンを有することを特徴とするメモリカード。
【請求項４】
請求項１に記載のメモリカードが、あらかじめ選択されたリーダによって再チャージされるように構成されたバッテリを有することを特徴とするメモリカード。
【請求項５】
請求項４に記載のメモリカードが、マイクロプロセッサ、ＲＦ受信機、およびＲＦ送信機で強化されていることを特徴とするメモリカード。
【請求項６】
請求項４に記載のメモリカードにおいて、前記カードが、前記カードが付与された人物の写真画像を表示することを特徴とするメモリカード。
【請求項７】
請求項６に記載のメモリカードにおいて、前記カードがコンパートメントに前記カードが付与された人物のデジタル化した写真画像を含むことを特徴とするメモリカード。
【請求項８】
請求項１に記載のメモリカードにおいて、前記コンパートメントのひとつが、前記カードが付与された人物に関する生物測定認証情報を有することを特徴とするメモリカード。
【請求項９】
請求項１に記載のメモリカードが電源を有することを特徴とするメモリカード。
【請求項１０】
請求項９に記載のメモリカードがＧＰＳ追跡能力を有することを特徴とするメモリカード。
【請求項１１】
請求項１０に記載のメモリカードが、無線送信および受信能力を有することを特徴とするメモリカード。
【請求項１２】
請求項１１に記載のメモリカードが、911番に電話をかけてあらかじめ記録されているメッセージを送信するためのボタンを有することを特徴とするメモリカード。
【請求項１３】
請求項１０に記載のメモリカードが、デジタル画像を取り、保存し送信する装置と一体化できるように構成されていることを特徴とするメモリカード。
【請求項１４】
請求項１０に記載のメモリカードが、システムからのあらゆる分離又は除去を記録し、ドキュメントするようプログラムされるように構成した着脱自在のメモリスティック／チップを有することを特徴とするメモリカード。
【請求項１５】
請求項１に記載のメモリカードが、前記メモリにリアルタイムの音声データを保存するように前記カードに取り付けられたレコーダを有することを特徴とするメモリカード。
【請求項１６】
請求項１５に記載のメモリカードが、あらかじめ選択されたリーダへのアクセスによって前記レコーダをアクティベートする手段を具えることを特徴とするメモリカード。
【請求項１７】
請求項１０に記載のメモリカードが、自動音声ノートブックを有し、前記カードが記録した音声セグメントを時間スタンピングするために、リアルタイムの時間とともに埋め込まれていることを特徴とするメモリカード。
【請求項１８】
請求項１７に記載のメモリカードにおいて、前記レコーダが前記メモリカードに保存されている音声信号を再生する能力を有するあらかじめ選択されたリーダとインターフェースをとるコネクタを具えることを特徴とするメモリカード。
【請求項１９】
特定の人物に特有の情報を保存し、当該情報を複数の目的に使用するシステムにおいて：
ａ）前記情報を収集し保存する中央発行者と；
ｂ）前記発行者からダウンロードした情報を記録する、前記人物によって携帯されているメモリカードであって、
i）自動的に検出され、選択されたリーダによって認識された前記カード上の電子ファイルのファイルシステムであって、保存された電子ファイルが別々の区別できるコンパートメント内に現れるように組織化されたファイルシステムと；
ii）リーダと前記カードを所有する前記カードが割り当てられている人物との間に生物測定の合致がない限り以下なるデータも送信できない前記カード上の生物測定認証情報と；
を有するメモリカードと、
ｃ）前記メモリカードからの情報を特定のコンパートメントから抽出するようにプログラムされた予め選択されたリーダであって、各予め選択されたリーダが前記メモリカード上の特定のコンパートメントに関連するユニークなピンコードを有し、前記予め選択されたリーダがそのコンパートメントに関する正しいピンコードを有するコンパートメントからのみ情報を抽出できるリーダと；
を具えるシステム。
【請求項２０】
請求項１９に記載のシステムにおいて、前記生物測定情報が、前記メモリカードが関連する人物のデジタル化した写真画像を含むことを特徴とするシステム。
【請求項２１】
請求項２０に記載のシステムにおいて、前記メモリカードが、前記人物のデジタル化した写真画像と比較するために、前記人物の写真を表示することを特徴とするシステム。
【請求項２２】
請求項１９に記載のシステムにおいて、前記メモリカードが、前記発行者にメモリカードの動きを追跡できるようにするシングルチップＧＰＳエンジンを具えることを特徴とするシステム。
【請求項２３】
アイデンティティを認証し、人物に関する情報を抽出する方法において：
メモリカード上に前記人物の個人的な生物測定認証情報を保存するステップであって、前記カード上で、その他のコンパートメントから分離されたコンパートメント内に前記情報が保存されているステップと；
同定の目的でリーダによってスキャンするために前記メモリカードを提出するステップであって、前記リーダが前記性物測定情報が保存されている前記カード上の前記コンパートメントへのアクセスを許可する少なくとも一の第１のユニークなピンコードを有し、前記リーダが前記カード上のその他のコンパートメントのうちの一つにアクセスを許可する少なくとも一の第２のユニークなピンコードを有するステップと；
前記アクセスされた生物測定情報を前記人物から直接取った生物測定情報と比較するステップと；
を具えることを特徴とする方法。
【請求項２４】
請求項２３に記載の方法において、前記生物測定情報が、前記人物の顔の特徴、指紋、ＤＮＡ、および網膜の特徴からなる群から選択した一又はそれ以上の特徴を具えることを特徴とする方法。
【請求項２５】
請求項２３に記載の方法において、前記メモリカードが、各々が、医療、セキュリティ、保険、エンターテイメント、ホスピタリティ、金融、旅行、一般ビジネス、および法執行当局の目的を含む、異なる情報バンドルを具えるその他のコンパートメントを具え、各コンパートメントがそこへアクセスするための異なるユニークなピンコードを有することを特徴とする方法。
【請求項２６】
請求項２３に記載の方法において、前記メモリカードが前記メモリカードの位置を追跡できるシングルチップＧＰＳエンジンを有することを特徴とする方法。
【請求項２７】
メモリカード上の情報の安全を図る方法において：
指定された位置に認証情報を保存するステップと；
個人から直接取った認証情報を前記保存されている認証情報と比較してアイデンティティを認証するステップと；
前記個人のアイデンティティの認証に当たって前記メモリカード上に保存されているあるいは保存されるべき情報にアクセスを許可するステップと；
各々が別の情報束を具える前記メモリカード内の少なくとも二つのコンパートメントに、少なくとも一の第１のコンパートメント内に保存されている生物測定情報と、少なくとも一の第２のコンパートメント内に保存されている、医療、セキュリティ、保険、エンターテイメント、ホスピタリティ、金融、旅行、一般ビジネス、及び法執行当局の情報のうちの一またはそれ以上を含むタイプの情報と、を提供するステップであって、各少なくとも一の第２のコンパートメントがそこへアクセスするための異なるユニークなピンコードを有するステップ；
を具えることを特徴とする方法。
【請求項２８】
請求項２７に記載の方法において、前記生物測定情報が、顔の特徴、指紋、ＤＮＡ特性、声紋の特徴からなる群から選択された一又はそれ以上の特徴を具えることを特徴とする方法。
【請求項２９】
請求項２７に記載の方法が更に、前記メモリカードを追跡するための位置情報を提供するステップを具えることを特徴とする方法。
【請求項３０】
請求項２９に記載の方法において、前記位置情報がＧＰＳトラッキングを具えることを特徴とする方法。
【請求項３１】
請求項３０に記載の方法が更に、前記ＧＰＳトラッキングを提供するＧＰＳエンジンであって、前記メモリカードと通信を行うために前記メモリカードかあるいは前記リーダの一方に前記ＧＰＳエンジンを配置したことを特徴とする方法。
【請求項３２】
請求項２７に記載の方法が更に、前記メモリカードと、前記メモリカードの外の一又はそれ以上のターゲット位置との間で指定された情報を送信するステップを具えることを特徴とする方法。
【請求項３３】
請求項３２に記載の方法において、前記ターゲット位置が一又はそれ以上のデータベースを具えることを特徴とする方法。
【請求項３４】
請求項３３に記載の方法において、前記指定された情報を送信するステップが、前記メモリカードおよび前記一又はそれ以上のデータベースに保存されている情報をアップロードするステップおよびダウンロードするステップを具えることを特徴とする方法。
【請求項３５】
請求項３２に記載の方法において、前記ターゲット位置が一又はそれ以上の協会を具えることを特徴とする方法。
【請求項３６】
請求項２７に記載の方法において、前記メモリカード上に保存された情報が、前記メモリカードの所有者によって変更することができないことを特徴とする方法。
【請求項３７】
請求項２７に記載の方法が更に、一またはそれ以上のリーダであって、当該一またはそれ以上のリーダの各々が、前記少なくとも一の第２のコンパートメントの唯一の指定したコンパートメントのコンテントにアクセスするように構成されているリーダを提供するステップであって、前記一つの指定したコンパートメントと前記一の指定されたコンパートメントのコンテントにアクセスするように構成されたリーダの各々が、同じユニークなピンコードを有するステップを具えることを特徴とする方法。
【請求項３８】
請求項３７に記載の方法において、前記認証情報を比較するステップが、指紋スキャナと、パルスリーダを提供するステップを具え、前記カード上に保存された生物測定情報が指紋情報を具え、前記リーダの指紋と、前記保存されている指紋情報との間に合致がない限り前記カード上に保存された情報にアクセスすることができず、前記指紋スキャナによって読み取られている指からパルスが検出され、前記少なくとも一の第２のコンパートメントが複数のコンパートメントを具え、前記ユニークなピンコードが前記複数のコンパートメントの各々について前記カードの表面上に包含されたある接触構成を具え、各コンパートメントに対する前記ユニークなピンコードが異なり、前記一またはそれ以上のリーダが複数のリーダを具え、各リーダが前記複数のコンパートメントのうちの一つにのみアクセス可能であり、前記各リーダが、前記カード上に包含された複数のコンパートメントの一つについての接触構成に合致するユニークなピンコードを具える前記リーダの一部に配置された接触構造を含み、予め選択されたリーダのみが、当該予め選択されたリーダが前記コンパートメントに関連する正しいピンコードを有するコンパートメントからの情報にアクセスできることを特徴とする方法。
【請求項３９】
指定された所有者に特有の情報を保存し、前記情報へのアクセスを制御し、前記情報を複数の目的に使用するシステムにおいて：
ａ）複数の別々のストレージコンパートメントを具えるメモリカードであって、各々のコンパートメントが、一のコンパートメントに保存されている前記指定された所有者の指紋情報と、複数のその他のコンパートメントに保存されている医療、セキュリティ、保険、エンターテイメント、ホスピタリティ、金融、旅行、一般ビジネス、及び法執行当局の情報のうちの一またはそれ以上を含むタイプの情報とを有する異なる情報束を具え、前記各複数の別々のストレージコンパートメントが、前記カード上のいずれかのその他のストレージコンパートメントの前記一またはそれ以上のピンコンタクトに合致しない、前記カード上に配置された一またはそれ以上のピンコンタクトを有し、前記一またはそれ以上のピンコンタクトの各々が、指定された位置にある前記カード上に配置された特定の接触構成を具え；
ｂ）前記メモリカードが前記複数のリーダのうちの指定されたものに極めて近接している場合に前記メモリカード上に保存された情報にアクセスするように構成された複数のリーダであって、各リーダが前記メモリカード上の複数の別々のストレージコンパートメントの一つだけにアクセス可能であり、前記各リーダが、前記カード上に包含された複数のコンパートメントの一つについての接触構成に合致する接触構成を具える前記リーダの一部に配置された接触構造を含み、予め選択されたリーダのみが、当該予め選択されたリーダが前記コンパートメントに関連する正しいピンコードを有するコンパートメントからの情報にアクセスすることができる、複数のリーダと；
ｃ）前記メモリカードの少なくとも一つまたは前記複数のリーダに関連して配置され、前記メモリカードを使用しようとしている人物の指紋を読み取るスキャナであって、前記読み取った指紋が、アイデンティティを認証するために前記指定された所有者の前記カード上に保存さている指紋情報と比較され、前記読み取った指紋と前記保存されている指紋情報との間に合致がない限り前記カードに保存されている情報にアクセスできない指紋スキャナと；
ｄ）前記メモリカードの少なくとも一つまたは前記複数のリーダに関連して配置され、前記指紋スキャナで読み取られている指がパルスを含んでいるかどうかを検出するパルスリーダであって、前記パルスリーダで検出されたパルスがない限り、前記カード上に保存された情報にアクセスできないパルスリーダと；
ｅ）前記メモリカードの少なくとも一つまたは前記複数のリーダに関連して配置された、所定の時間に前記メモリカードの位置を追跡するＧＰＳデバイスであって、少なくとも前記メモリカードが複数のリーダに読み取られているときに前記メモリカードの位置を追跡するＧＰＳデバイスと；
を具えることを特徴とするシステム。
【請求項４０】
請求項３９に記載のシステムにおいて、前記指定された所有者のデジタル化した写真画像が一のストレージコンパートメント内に保存され、リーダによって表示されることを特徴とするシステム。
【請求項４１】
請求項４０に記載のシステムにおいて、前記指定された所有者の写真が、前記表示されたデジタル化した写真画像と比較するために前記メモリカード上に表示されることを特徴とするシステム。
【請求項４２】
請求項３９に記載のシステムにおいて、前記ＧＰＳデバイスが前記メモリカードを追跡するために前記メモリカード上に配置されていることを特徴とするシステム。
【請求項４３】
請求項４２に記載のシステムが更に、前記ＧＰＳデバイスに電力を供給するために前記メモリカード上に配置したバッテリを具えることを特徴とするシステム。
【請求項４４】
請求項３９に記載のシステムにおいて、７つのストレージコンパートメントが前記メモリカード上に配置されており、第１のコンパートメントには、国土安全保障（Homeland Security）情報が保存されており、第２のコンパートメントには法執行当局情報が保存されており、第３のコンパートメントには金融取引情報が保存されており、第４のコンパートメントには金融詳細情報が保存されており、第５のコンパートメントには処方情報が保存されており、第６のコンパートメントには医療情報が保存されており、第７のコンパートメントには個人情報が保存されていることを特徴とするシステム。
【請求項４５】
指定された所有者に特有の情報を保存し、前記情報へのアクセスを制御し、前記情報を複数の目的に使用する方法において：
ａ）複数の別々のストレージコンパートメントを具えるメモリカードを提供するステップであって、各々のコンパートメントが、一のコンパートメントに保存されている前記指定された所有者の指紋情報と、複数のその他のコンパートメントに保存されている医療、セキュリティ、保険、エンターテイメント、ホスピタリティ、金融、旅行、一般ビジネス、及び法執行当局の情報のうちの一またはそれ以上を含むタイプの情報とを有する異なる情報束を具え、前記複数の別々のストレージコンパートメントが、前記カード上のいずれかのその他のストレージコンパートメントの独自のピンコンタクト構成に合致しない、前記カード上に配置された独自のピンコンタクト構成を有し、前記独自のピンコンタクト構成の各々が、指定された位置にある前記カード上に配置された特定の接触構成を具えるステップと；
ｂ）前記メモリカードが前記複数のリーダのうちの指定されたものに極めて近接している場合に前記メモリカード上に保存された情報にアクセスするように構成された複数のリーダを提供するステップであって、各リーダが前記メモリカード上の複数の別々のストレージコンパートメントの一つだけにアクセス可能であり、前記各リーダが、前記カード上に包含された複数のコンパートメントの一つについての接触構成に合致する接触構造を含み、予め選択されたリーダのみが、当該予め選択されたリーダが前記コンパートメントに関連する正しいピンコンタクト構成を有するコンパートメントからの情報にアクセスすることができるステップと；
ｃ）前記メモリカードの少なくとも一つまたは前記複数のリーダに関連して配置され、前記メモリカードを使用しようとしている人物の指紋を読み取るスキャナを提供するステップであって、前記読み取った指紋が、アイデンティティを認証するために前記指定された所有者の前記カード上に保存さている指紋情報と比較され、前記読み取った指紋と前記保存されている指紋情報との間に合致がない限り前記カードに保存されている情報にアクセスできないステップと；
ｄ）前記メモリカードの少なくとも一つまたは前記複数のリーダに関連して配置され、前記指紋スキャナで読み取られている指がパルスを含んでいるかどうかを検出するパルスリーダであって、前記パルスリーダで検出されたパルスがない限り、前記カード上に保存された情報にアクセスできないパルスリーダを提供するステップと；
ｅ）前記メモリカードの少なくとも一つまたは前記複数のリーダに関連して配置された、所定の時間に前記メモリカードの位置を追跡するＧＰＳデバイスであって、少なくとも前記メモリカードが複数のリーダに読み取られているときに前記メモリカードの位置を追跡するＧＰＳデバイスを提供するステップと；
ｆ）リーダに非常に近接したメモリカードを配置し、前記指紋スキャナ及び前記パルスリーダ上にユーザの指を配置することによって取引を開始するステップと；
ｇ）前記メモリカードとリーダとの間にピンコンタクトの合致があり、前記ユーザが前記指紋スキャナを介して前記指定された所有者であると認識され、パルスが検出された場合に、前記メモリカード上の指定したコンパートメント内に保存されている情報を読み取る、アップロードする、ダウンロードする、あるいは変更することの少なくとも一つによって取引を完了するステップと；
を具えることを特徴とする方法。
【請求項４６】
請求項４５に記載の方法において、前記取引を開始するステップが更に、ネットワークを介して少なくとも一の外部データベースに前記リーダを接続するステップと、前記取引を完了するステップが更に、前記メモリカード上の指定されたコンパートメントと外部データベース間で情報を通信するステップを具えることを特徴とする方法。
【請求項４７】
請求項４６に記載の方法が更に、一のストレージコンパートメントに保存されており、アイデンティティを認証するためにリーダによって表示された前記指定された所有者のデジタル化した写真画像を提供するステップを具えることを特徴とする方法。
【請求項４８】
請求項４７に記載の方法が更に、前記表示されたデジタル化した写真画像と比較するために、前記メモリカード上に前記指定された所有者の写真を表示するステップを具えることを特徴とする方法。
【請求項４９】
請求項４５に記載の方法において、前記メモリカードを追跡させるために、前記メモリカード上に前記ＧＰＳデバイスが配置されていることを特徴とする方法。
【請求項５０】
請求項４９に記載の方法が更に、前記ＧＰＳデバイスに電力を供給するために前記メモリカード上に配置したバッテリを具えることを特徴とする方法。
【請求項５１】
請求項４５に記載の方法が更に、前記メモリカード上に７つのストレージコンパートメントを配置するステップを具え、第１のコンパートメントには、国土安全保障（Homeland Security）情報が保存されており、第２のコンパートメントには法執行当局情報が保存されており、第３のコンパートメントには金融取引情報が保存されており、第４のコンパートメントには金融詳細情報が保存されており、第５のコンパートメントには処方情報が保存されており、第６のコンパートメントには医療情報が保存されており、第７のコンパートメントには個人情報が保存されていることを特徴とする方法。
【請求項５２】
請求項４５に記載の方法が更に：
指定された所有者に自身のメモリカードを発行するステップと；
前記一のストレージコンパートメント内の指定された所有者の指紋情報とともに、名前、住所、生年月日、社会保障番号、およびデジタル的に暗号化した写真からなる群から選択した個人情報を保存するステップと；
前記指定された所有者と全ての認証を受けていないユーザが、前記一のストレージコンパートメント内に保存したいずれかの個人情報を編集することを防止するステップと；
一又はそれ以上のその他の別々のストレージコンパートメントに、健康保険情報、運転免許証情報、自動車保険情報、自動車登録情報、銀行口座情報、クレジット／デビットカード情報、パスポート情報、旅行情報、入国書類、選挙人登録情報からなる群から選択した追加の個人情報を、指定されたコンパートメントのコンタクトを同じ接触構造を有する特定のリーダに極めて近接させて配置するか、あるいは、前記メモリカードを特定のホームリーダに極めて近接させて配置して、インターネットを介して第３者のウエブサイトにリンクさせるかのいずれかによって保存し、前記指紋スキャナとパルスリーダを介して前記指定された所有者のアイデンティティを認証し、前記一のストレージコンパートメントから前記指定された所有者のいずれかの必要な個人情報をアップロードし、前記特定のリーダまたは前記第３者のウエブサイトから前記メモリに保存するべき追加の個人情報をダウンロードするステップと；
健康管理の専門家によって扱われる場合に医療使用の特定のリーダに前記メモリカードを極めて近接させて配置するステップであって、前記メモリカードが、医療情報用の少なくとも一の特定のストレージコンパートメントと関連する医療使用の特定のリーダ上のコンタクトと合致するコンタクトを有し、前記指紋スキャナとパルスリーダを介して前記指定された所有者のアイデンティティを認証し、前記一のストレージコンパートメントの少なくとも一つ、または一又はそれ以上のその他の別々のストレージコンパートメントから、前記指定された所有者の必要な個人情報をアップロードし、医療情報用の前記特定のストレージコンパートメントから所望の予め保存されている情報をアップロードし、前記ＧＰＳデバイスを介して前記メモリカード上に時間、データおよび位置を保存し、診断、テスト、医療記録、歯科記録、及び処方からなる群から選択された処理と関連する情報を医療情報用の前記特定のストレージコンパートメントに保存するステップと；
処方を満たすことが要求される場合に調剤使用の特定のリーダに前記メモリカードを極めて近接させて配置するステップであって、前記メモリカードが調剤情報用の少なくとも一の特定のストレージコンパートメントと関連する、前記調剤使用の特定のリーダ上のコンタクトに合致するコンタクトを有し、前記指紋スキャナとパルスリーダを介して前記指定された所有者のアイデンティティを認証し、前記一のストレージコンパートメントの少なくとも一つ、または一又はそれ以上のその他の別々のストレージコンパートメントから、前記指定された所有者の必要な個人情報をアップロードし、調剤情報用の前記特定のストレージコンパートメントから所望の予め保存されている情報をアップロードし、前記ＧＰＳデバイスを介して前記メモリカード上に時間、データおよび位置を保存し、前記カード上に保存された調剤情報をアップロードし、前記処方を満たし、前記処方を満たしたことを表す情報を前記カードに保存するステップと；
法執行人によって要求される場合に法執行使用の特定のリーダに前記メモリカードを極めて近接させて配置するステップであって、前記メモリカードが法執行用の少なくとも一の特定のストレージコンパートメントと関連する、前記法執行使用の特定のリーダ上のコンタクトに合致するコンタクトを有し、前記指紋スキャナとパルスリーダを介して前記指定された所有者のアイデンティティを認証し、前記一のストレージコンパートメントの少なくとも一つ、または一又はそれ以上のその他の別々のストレージコンパートメントから、前記指定された所有者の必要な個人情報をアップロードし、法執行情報用の前記特定のストレージコンパートメントから所望の予め保存されている情報をアップロードし、前記ＧＰＳデバイスを介して前記メモリカード上に時間、データおよび位置を保存し、暴力、召喚、逮捕からなる群から選択された法執行人によって発生した新しい情報を法執行情報用の特定のストレージコンパートメントに保存するステップと；
電子取引を実行することが要求される場合に電子取引に使用する特定のリーダに前記メモリカードを極めて近接させて配置するステップであって、前記メモリカードが電子取引情報用の少なくとも一の特定のストレージコンパートメントと関連する、前記電子取引情報使用の特定のリーダ上のコンタクトに合致するコンタクトを有し、前記指紋スキャナとパルスリーダを介して前記指定された所有者のアイデンティティを認証し、前記一のストレージコンパートメントの少なくとも一つ、または一又はそれ以上のその他の別々のストレージコンパートメントから、前記指定された所有者の必要な個人情報をアップロードし、クレジットカード取引、デビットカード取引、ＡＴＭ取引、小切手による取引、及び電子ファンド取引からなるからなる群から選択される電子取引を開始し、前記ＧＰＳデバイスを介して前記メモリカード上に時間、データおよび位置を保存するステップと；
を具えることを特徴とする方法。
【請求項５３】
請求項５２に記載の方法が更に：
新しいブランクのメモリカードを入手することによって、失ったメモリカードと交換するステップであって、このメモリカードを特定のホームリーダに極めて近接させて配置し、前記指紋スキャナとパルスリーダを介して前記指定された所有者のアイデンティティを認証し、前記特定のホームリーダをインターネットを介して一又はそれ以上のデータベースにリンクさせて、前記交換メモリカードに、オリジナルのメモリカードに含まれていた以前に保存してあったすべての情報をダウンロードするステップを具えることを特徴とする方法。
【請求項５４】
請求項５２に記載の方法が更に：
前記一のストレージコンパートメントまたは前記一またはそれ以上のその他の別々のストレージコンパートメントの少なくとも一つに含まれる個人情報から取り出したユニークな個人識別子を具える認証マークを作るステップと；
いずれかの通信によって前記認証マークを送信するステップと；
通信のいずれかの受信者が前記認証マークを受信するステップと；
前記送信者を前記認証マークによって同定するステップと；
を具えることを特徴とする方法。
【請求項５５】
請求項５４に記載の方法において、前記認証マークを作るステップが、少なくとも前記カードに保存されている指紋情報から前記ユニークな個人識別子を取り出すステップを具えることを特徴とする方法。
【請求項５６】
請求項５５に記載の方法において、前記認証マークを送信するステップが、前記認証マークをファイルの外において可視として、受信者が前記ファイルを開く前に前記送信者を見て、同定できるようにするステップを具えることを特徴とする方法。
【請求項５７】
請求項５２に記載の方法が更に：
国内に到着したときに、外国人に自身のメモリカードを発行するステップと；
外国人の名前、国籍、入国書類、パスポート情報、データ入力国、入国の理由、渡航前にいた国、国内での滞在予定期間、デジタル的に暗号化した写真、および指紋情報からなる群から選択された複数アイテムを具える個人情報を、前記一のストレージコンパートメントに保存するステップと；
前記外国人およびすべての認証を受けていないユーザが、前記一のストレージコンパートメントに保存されたいずれかの個人情報を編集することを防止するステップと；
前記外国人を前記ＧＰＳデバイスを介して所望される場合に追跡するステップと；
を具えることを特徴とする方法。
【請求項５８】
請求項５２に記載の方法が更に、
電子投票が要求される場合に、前記特定のホームリーダ、または、投票に使用する特定のリーダに極めて近接させて指定されたコンパートメントの前記ピンコンタクトを配置することによって、前記特定のホームリーダ、または、投票に使用する同一のピンコンタクト構造を有する特定のリーダに前記メモリカードを極めて近接させて配置し、前記指紋スキャナとパルスリーダを介して前記指定された所有者のアイデンティティを認証し、前記一のストレージコンパートメントの少なくとも一つ、または一又はそれ以上のその他の別々のストレージコンパートメントから、前記指定された所有者の必要な個人情報をアップロードし、あらゆる投票者登録情報を含め、電子投票を行い、前記ＧＰＳデバイスを介して前記メモリカード上に時間、データおよび位置を保存するステップ；
を具えることを特徴とする方法。
【請求項５９】
メモリカードにおいて：
情報を保持する一又はそれ以上のストレージデバイスと；
前記一またはそれ以上のストレージデバイスから、または前記一またはそれ以上のストレージデバイスへ情報を転送するインターフェース機構であって、当該インターフェース機構が前記メモリカードの表面上に配置した一またはそれ以上の物理的コンタクトを具え、当該一またはそれ以上の物理的コンタクトが前記一またはそれ以上のストレージデバイスに接続されており、前記一またはそれ以上の物理的コンタクトが更に外付けデバイスに係合するように構成されているインターフェース機構と；
前記一またはそれ以上のストレージデバイスに保持されている情報へのアクセスを調節するセキュリティ機構であって、当該セキュリティ機構が前記インターフェース機構の一またはそれ以上の物理的コンタクトの特別な構成を具え、前記メモリカードが前記外付けデバイスに関連する対応する物理的コネクタに基づいて特定のタイプの情報を転送するように構成されているセキュリティ機構と；
前記メモリカードの物理的及び時間的配置を前記外付けデバイスに関連させるトラッキング機構であって、当該トラッキング機構が前記外付けデバイスによって始動されるトラッキング機構と；
を具えることを特徴とするメモリカード。
【請求項６０】
請求項５９に記載のメモリカードにおいて、前記インターフェース機構が送信機／受信機を具えることを特徴とするメモリカード。
【請求項６１】
請求項５９に記載のメモリカードにおいて、前記インターフェース機構がアンテナを具えることを特徴とするメモリカード。
【請求項６２】
請求項６１に記載のメモリカードにおいて、前記アンテナが少なくとも一のフォイルアンテナ又はセラミックアンテナを具えることを特徴とするメモリカード。
【請求項６３】
請求項５９に記載のメモリカードにおいて、前記セキュリティ機構が、前記一又はそれ以上のストレージデバイス内に保存されている生物測定情報を具え、実際に測定された生物測定情報と前記インターフェースを介して比較するように構成されていることを特徴とするメモリカード。
【請求項６４】
請求項５９に記載のメモリカードが更に、フリップチップとしての基板上に一又はそれ以上の集積回路を具えることを特徴とするメモリカード。
【請求項６５】
請求項６４に記載のメモリカードにおいて、前記基板がポリイミド基板であることを特徴とするメモリカード。
【請求項６６】
請求項６４に記載のメモリカードにおいて、前記集積回路が接着剤で装填されていることを特徴とするメモリカード。
【請求項６７】
請求項５９に記載のメモリカードが更に、一又はそれ以上のポリイミドラミネート層を具えることを特徴とするメモリカード。
【請求項６８】
請求項５９に記載のメモリカードが更に、電源を具えることを特徴とするメモリカード。
【請求項６９】
請求項５９に記載のメモリカードにおいて、前記電源が太陽電池を具えることを特徴とするメモリカード。
【請求項７０】
請求項５９に記載のメモリカードにおいて、前記追跡機構がＧＰＳデバイスを具えることを特徴とするメモリカード。
【請求項７１】
請求項５９に記載のメモリカードが更に、前記カードの外側表面に表示されている前記カードが付与された人物の写真画像を具えることを特徴とするメモリカード。
【請求項７２】
請求項５９に記載のメモリカードにおいて、前記カードがストレージデバイス内に、前記カードが付与された人物のデジタル化した写真画像を含むことを特徴とするメモリカード。
【請求項７３】
請求項５９に記載のメモリカードにおいて、前記ストレージデバイスのひとつが、前記カードが付与されたユーザに関する生物測定認証情報を含むことを特徴とするメモリカード。
【請求項７４】
特定の人物の独自の情報を保存し、この情報を複数の目的に使用するシステムにおいて：
ａ）前記情報を収集し保存する中央発行者と；
ｂ）前記発行者からダウンロードした情報を記録するメモリカードであって：
i）複数の別々のコンパートメントに前記情報を記録する複数のストレージエレメントと；
ii）前記ストレージエレメントの一つの中の前記カード上に保存された生物測定認証情報であって、保存されている生物測定認証情報と前記カードが割り当てられた人物との間に生物測定による合致がない限りいかなるデータも転送できないようにした情報と；
を具えるメモリカードと；
ｃ）前記発行者と前記メモリカードとの間で情報を転送する複数の予め選択されたリーダと；
ｄ）前記メモリカードと前記複数の予め選択されたリーダとの間での情報の転送を制御する前記メモリカードと前記複数の予め選択されたリーダとの間のインターフェースであって、前記メモリカードの表面に配置した複数の別々の群の物理的コンタクトを具え、物理的コンタクトの各群が、前記メモリカード上の別のストレージエレメントと接続されており、物理的コンタクトの各群が、前記メモリカード上に配置されたその他の群と異なる物理的コンタクトの特定の独自の構成を具え、各予め選択されたリーダが、前記メモリカード上に配置した物理的コンタクト群の指定されたものの特定の独自の物理的コンタクト構成と合致するように構成した、メモリカード上に配置した独自の構成の物理的コネクタを有し、予め選択したリーダが、前記予め選択したリーダがそのコンパートメントに関連する対応する物理的コネクタを有するコンパートメントからの情報のみを抽出できるようにしたインターフェースと；
を具えることを特徴とするシステム。
【請求項７５】
請求項７４に記載のシステムにおいて、前記生物測定情報が、前記メモリカードが関係する前記人物のデジタル写真画像を具えることを特徴とするシステム。
【請求項７６】
請求項７５に記載のシステムにおいて、前記メモリカードが前記人物の前記デジタル写真画像と比較のために、前記人物の写真を表示することを特徴とするシステム。
【請求項７７】
請求項７４に記載のシステムにおいて、前記メモリカードが前記発行者が前記メモリカードの動きを追跡できるようにするシングルチップＧＰＳエンジンを具えることを特徴とするシステム。
【請求項７８】
メモリカード上の情報を保全する方法において：
インターフェース機構を介して一又はそれ以上の発行者にアクセスするステップと；
前記カード所有者のアイデンティティを、前記メモリカードに保存されている同定情報と、外付けデバイスに保存されている同定情報に比較することによって認証するステップであって、前記インターフェース機構が、前記外付けデバイスに関連する対応する物理的コネクタに係合する用に構成された一又はそれ以上の物理的コンタクトを具えるステップと；
前記カード所有者のアイデンティティが認証されたときに前記一又はそれ以上の発行者と前記メモリカードとの間で選択された情報を転送するステップであって、前記選択された情報が前記外付けデバイスと関連する物理的コネクタの特定の構成に基づくものであるステップと；
を具えることを特徴とする方法。
【請求項７９】
請求項７８に記載の方法において、前記認証情報が生物測定情報を具えることを特徴とする方法。
【請求項８０】
請求項７９に記載の方法において、前記生物測定情報が、前記人物の顔の特徴、指紋、ＤＮＡ、および網膜の特徴からなる群から選択された一又はそれ以上の特性を具えることを特徴とする方法。
【請求項８１】
請求項７９に記載の方法において、前記一又はそれ以上の発行者から情報が送信され、アイデンティティが認証されたときに前記メモリカードにダウンロードされることを特徴とする方法。
【請求項８２】
請求項８１に記載の方法において、前記カード上に保存されている前記情報が暗号化されていることを特徴とする方法。
【請求項８３】
請求項８２に記載の方法において、前記メモリカードが各々が異なる情報バンドルを具え、一のコンパートメントに前記生物測定情報が保存されている複数のコンパートメントを具え、各コンパートメントがそこにアクセスするのに別々のユニークな物理的コンタクトを有することを特徴とする方法。
【請求項８４】
請求項８３に記載の方法が更に、前記メモリカードの追跡を許す位置情報を提供するステップを具えることを特徴とする方法。
【請求項８５】
請求項８４に記載の方法において、前記位置情報がＧＰＳトラッキングを具えることを特徴とする方法。
【請求項８６】
請求項８５に記載の方法が更に、ＧＰＳ追跡を提供するためのＧＰＳエンジンを具え、このＧＰＳエンジンが前記メモリカードと通信を行うために前記メモリカードあるいはリーダのうちの一方に設けられていることを特徴とする方法。
【請求項８７】
請求項８６に記載の方法において、前記メモリカードが前記リーダと通信するための特別な配置のコンタクトを具え、各リーダが前記メモリカード上の特定のコンパートメントと通信を行うための前記ユニークなピンコードを具えることを特徴とする方法。
【請求項８８】
請求項８７に記載の方法において、前記カードが前記メモリカードに関連する人物のデジタル化した写真画像を具えることを特徴とする方法。
【請求項８９】
請求項８８に記載の方法において、前記メモリカードが、前記人物のデジタル化した写真画像を表示することを特徴とする方法。
【請求項９０】
請求項８７に記載の方法において、前記カード上に保存された前記生物測定情報が数値で表されることを特徴とする方法。
【請求項９１】
請求項９０に記載の方法において、前記カードに保存されている前記生物測定情報に対応する前記番号と異なるアカウント番号が前記カードに与えられていることを特徴とする方法。
【請求項９２】
請求項８７に記載の方法において、前記メモリカード上に保存されている生物測定情報が変更不可であることを特徴とする方法。